(57)【要約】  無線通信ユニット（１０１）は、複数の通信ユニット（１０３，１０７，１０９）に対するダイヤル方式に従い、ダイヤルした番号を再フォーマットするように動作可能である。この無線通信ユニットは、任意の複数の通信ネットワークとの通信のためのトランシーバ（２０１）と、呼び出される目標ユニット（１０２，１０２’）に対応する番号を提供するように動作可能なユーザ・インタフェース（２１１）と、番号に対応し、かつ、無線通信ユニットに特有のプリファレンスに従い、再フォーマットした番号（図３）を提供するための対応する方法を実施するコントローラ（２０９）とを備える。再フォーマットした番号は、目標ユニットを呼び出すために用いられる通信ネットワークに対するダイヤル方式との互換性を有する。
2007517425.tif 000002
【特許請求の範囲】
【請求項１】
複数の通信ネットワークに対するダイヤル方式に従い、ダイヤルされる番号を再フォーマットするように動作可能な無線通信ユニットであって、
無線ローカルエリアネットワーク（ＬＡＮ）及び無線ワイドエリアネットワーク（ＷＡＮ）を通じて通信するように構成されているトランシーバと、
呼び出される目標ユニットに対応する番号を提供するように動作可能なユーザ・インタフェースと、
同トランシーバ及び同ユーザ・インタフェースに接続されているコントローラと、
コントローラが、
目標ユニットを呼び出すために使用する通信ネットワークとして無線ＬＡＮと無線ＷＡＮとのうちの一方を選択するように、
同通信ネットワークに対するダイヤル方式に対応する再フォーマット規則を取得するように、及び、
再フォーマット規則に従い同番号を再フォーマットして、目標ユニットを呼び出すために使用する通信ネットワークに対するダイヤル方式との互換性を有する再フォーマット番号を提供するように構成されていることとからなる無線通信ユニット。
【請求項２】
コントローラは再フォーマット規則に従う再フォーマット番号を提供することと、
再フォーマット番号は、ディジットの削除された番号、ディジットの付加された番号及びディジットの置換された番号のうちの１つを含むこととを含む請求項１に記載の無線通信ユニット。
【請求項３】
再フォーマット規則を記憶するように構成されているメモリを含むことと、
コントローラは再フォーマット規則を前記番号に適用することにより再フォーマット番号を提供することとを含む請求項１に記載の無線通信ユニット。
【請求項４】
再フォーマット規則は、部分的には、ユーザ・インタフェースにおけるユーザ・エントリ、無線通信ユニットの構成中に提供される規則のテーブル、及び前記通信ネットワークの提供する構成ファイルのうちの１つにより取得される請求項３に記載の無線通信ユニット。
【請求項５】
メモリは一組の再フォーマット規則に対応する識別子を記憶するように構成されることを含み、識別子はユーザ・インタフェースから選択可能であることを含む請求項３に記載の無線通信ユニット。
【請求項６】
複数の通信ネットワークに対するダイヤル方式に従い、ダイヤルされる番号を再フォーマットするように動作可能な無線通信ユニットであって、
複数の通信ネットワークのうちのいずれかと通信するためのトランシーバと、
呼び出される目標ユニットに対応する番号を提供するように動作可能なユーザ・インタフェースと、
同トランシーバ及び同ユーザ・インタフェースに接続されているコントローラと、
コントローラは、同番号に対応し無線通信ユニットに特有のプリファレンスに従う、再フォーマット番号を提供することと、
再フォーマット番号は目標ユニットを呼び出すために使用する通信ネットワークに対するダイヤル方式との互換性を有することとからなる無線通信ユニット。
【請求項７】
プリファレンス及びフォーマット規則を記憶するように構成されているメモリを含むことと、
プリファレンスは選択される一組のフォーマット規則に対応することと、
コントローラは選択される一組のフォーマット規則を前記番号に適用することにより、再フォーマット番号を提供することとを含む請求項６に記載の無線通信ユニット。
【請求項８】
フォーマット規則は、ユーザ・インタフェースにおけるユーザ・エントリ、無線通信ユニットの構成中に提供される規則のテーブル、及び前記通信ネットワークを介して提供される構成ファイルのうちの１つにより取得される請求項７に記載の無線通信ユニット。
【請求項９】
プリファレンスは、メモリに記憶されている規則、コントローラの生成するプロンプトによるユーザからの指示、最近訪問したネットワークが前記通信ネットワークであった時からの経過時間、及び最近訪問したネットワークの近接度のうちの１つに基づくことを含む請求項７に記載の無線通信ユニット。
【請求項１０】
前記通信ネットワークが外部のネットワークであり、前記番号が最近訪問したネットワークのダイヤル方式との互換性を有し、かつ、第２のネットワークに対するダイヤル方式との互換性を有する短縮番号であるとき、
再フォーマット番号を使用して、最近訪問したネットワーク及び第２のネットワークのうちの一方にそれぞれ呼び出しをルーティングすることが可能であるように、コントローラはプリファレンスに応じて、最近訪問したネットワークのダイヤル方式及び第２のネットワークのダイヤル方式のうちの一方に従う再フォーマット番号を提供することを含む請求項６に記載の無線通信ユニット。
【請求項１１】
複数の通信ネットワークに対するダイヤル方式に従い、ダイヤルされる番号を再フォーマットするための方法であって、
無線ローカルエリアネットワーク（ＬＡＮ）及び無線ワイドエリアネットワーク（ＷＡＮ）を通じての動作に適切な無線通信ユニットにおいて、呼び出される目標ユニットに対応する番号を提供する目標ユニット番号提供工程と、
目標ユニットを呼び出すために使用する通信ネットワークとして無線ＬＡＮ及び無線ＷＡＮのうちの一方を選択する通信ネットワーク選択工程と、
同通信ネットワークに対するダイヤル方式に対応するフォーマット規則を取得するフォーマット規則取得工程と、
再フォーマット規則に従い同番号を再フォーマットして、目標ユニットを呼び出すために使用する通信ネットワークに対するダイヤル方式との互換性を有する再フォーマット番号を提供する番号再フォーマット工程とからなる方法。
【請求項１２】
番号再フォーマット工程は前記番号に適用される再フォーマット規則に従う再フォーマット番号を提供する工程を含むことと、
再フォーマット番号は、ディジットの削除された番号、ディジットの付加された番号及びディジットの置換された番号のうちの１つを含むこととを含む請求項１１に記載の方法。
【請求項１３】
フォーマット規則取得工程は、フォーマット規則を部分的にはユーザ・インタフェースにおけるフォーマット規則のエントリ、規則のテーブルによる無線通信ユニットの構成、及び前記通信ネットワークからの構成ファイルのダウンロードの１つにより取得する工程を含む請求項１１に記載の方法。
【請求項１４】
フォーマット規則取得工程は前記通信ネットワークに対応する一組のフォーマット規則を複数組のフォーマット規則から選択する工程を含む請求項１１に記載の方法。
【請求項１５】
通信ネットワーク選択工程は複数の通信ネットワークから前記通信ネットワークを選択する工程を含むことと、
前記通信ネットワークは無線通信ユニットにサービスを提供するために利用可能な複数の通信ネットワークの一部の通信ネットワークであることと、
フォーマット規則取得工程は前記通信ネットワークに対応する一組のフォーマット規則を選択する工程を含むこととを含む請求項１１に記載の方法。
【請求項１６】
複数の通信ネットワークに対するダイヤル方式に従い、ダイヤルされる番号を無線通信ユニットにおいて再フォーマットするための方法であって、
呼び出される目標ユニットに対応する番号を提供する目標ユニット番号提供工程と、
無線通信ユニットに特有のプリファレンスに従い同番号を処理して、目標ユニットを呼び出すために使用する通信ネットワークに対するダイヤル方式との互換性を有する再フォーマット番号を提供する番号処理工程とからなる方法。
【請求項１７】
番号処理工程は、ディジットを削除する工程、ディジットを付加する工程、ディジットを置換する工程、アルゴリズムを前記番号に適用する工程、アクセス番号を読み出し、オーバー・ダイヤル・サフィックスとして前記番号を付加させる工程、及び前記番号に従いインデックス化されるルックアップテーブルから記憶した番号を読み出す工程のうちの１つにより前記番号を処理する工程を含む請求項１６に記載の方法。
【請求項１８】
無線通信ユニットに対するユーザ・インタフェースにおけるユーザ・エントリと、無線通信ユニットの構成中に提供される規則のテーブルと、前記複数の通信ネットワークのうちの１つの通信ネットワークにより提供される構成とのうちの１つによりフォーマット規則を取得する工程と、
番号処理工程におけるフォーマット規則の一部を使用する工程とを含む請求項１６に記載の方法。
【請求項１９】
複数組のフォーマット規則から前記通信ネットワークに対応する一組のフォーマット規則を選択する工程を含む請求項１６に記載の方法。
【請求項２０】
プリファレンスは、メモリに記憶されている規則、コントローラの生成するプロンプトによるユーザからの指示、最近訪問したネットワークが前記通信ネットワークであった時からの経過時間、及び最近訪問したネットワークの近接度のうちの１つに基づくことを含む請求項１６に記載の方法。
【発明の詳細な説明】
【技術分野】
【０００１】
本発明は通信システムに関する。より詳細には、本発明は通信ネットワークのダイヤル方式間の互換性のために、ダイヤルされる番号を再フォーマットするための方法及び装置に関する。
【背景技術】
【０００２】
複数の通信ネットワーク上で動作可能な通信ユニットその他のユニットは、ますます一般的になりつつある。通信ユニットにサービスを提供可能な異なった通信ネットワークは、異なったダイヤル方式を有する場合がある。例えば、１つのネットワークはルーティングのために１０桁のディジットを必要とする。別のネットワークは企業において用いられるネットワークなどローカル・ネットワークであって、ネットワーク内のルーティングに３，４，５桁のディジットしか必要としない。
【０００３】
このため、通信ユニットのユーザに問題や不便が生じ得る。例えば、ある個人を呼び出す場合、そのネットワークに対するダイヤル方式との互換性を有する番号を提供するために、ユーザは幾つかの通信ネットワークのうちのいずれが利用されているかを認識する必要があり得る。このため、各人に対して複数のエントリが必要な場合、電話帳用に非常に多くのメモリが使用されることになる。例えばエリアコードなどを付加させるための幾つかの技術は存在するが、通常、それらの技術は、ネットワークの異なった部分であるとしても、所与の１つのネットワーク内での動作によっており、サービスに対し種々のネットワークが利用可能な状況、即ち、ダイヤルされる番号が両義的である状況に対処するものではない。ダイヤルされる番号を再フォーマットするための方法及び装置の必要が存在する。
【発明を実施するための最良の形態】
【０００４】
全体的には、本発明は通信システム又は通信ネットワークと、２つ以上の通信ネットワーク上で動作可能な通信ユニットとに関する。より詳細には、本発明は、これらの通信ネットワークが異なる発信者識別フォーマットを有する場合に複数のネットワークにおいて動作可能な無線通信ユニット又はデバイスに関する。
【０００５】
本発明の原理は、一方のネットワークが公衆無線キャリア、即ち、セルラーサービス通信キャリアなどの無線ワイドエリアネットワーク（ＷＡＮ）であり、他方のネットワークが、例えば、法人の企業無線ローカルエリアネットワーク（ＬＡＮ）においてサポートされる、構内通信システムである場合など、異なった発信者識別フォーマット、即ち、ダイヤル方式を用いて異なったネットワークにおいて動作可能なそれらのユニットを含む、多くの通信システム又は通信ネットワークと、通信ユニットとに適用可能である。
【０００６】
以下でより詳細に説明するように、有利には、本発明の種々の原理及びそれらの組み合わせは、それらの原理又はそれらの原理の均等物が利用される場合、複数の通信ネットワークにおいてユーザにサービスを提供可能な通信ユニットが、そうした通信ネットワーク間の移動中又はそうした通信ネットワークにおける動作中に呼び出しを行ったとき、有効な呼び出しアドレス指定又はルーティングが行われるように、ダイヤルされる番号又は電話帳からの番号など、目標ユニットに対応する番号を正しくフォーマットすることを保証するように用いられる。
【０００７】
本明細書においては、通信ユニットという用語は無線加入者デバイス、加入者デバイス又は加入者ユニットと交換可能に用いられる場合があるが、これらの用語の各々は、通常
、ユーザに関連するデバイスを示すことに留意されたい。このようなユニットの例としては、パーソナルデジタルアシスタント、個人割当パッド（ｐｅｒｓｏｎａｌ  ａｓｓｉｇｎｍｅｎｔ  ｐａｄ）、無線動作を備えるパーソナルコンピュータ、セルラーハンドセット若しくはデバイス又はこれらの均等物などがある。
【０００８】
特に対象となる通信ユニットは、通常、無線ＬＡＮ機能と呼ばれる、例えば、ＩＥＥＥ８０２．１１、Ｂｌｕｅｔｏｏｔｈ（登録商標）又はＨｉｐｅｒ−Ｌａｎなどのプロトコルを用いる無線ＬＡＮを介する近距離通信機能と、符号分割多重接続（ＣＤＭＡ）、周波数ホッピング又は時分割多元接続（ＴＤＭＡ）技術などのプロトコルや、伝送制御プロトコル／インターネットプロトコル（ＴＣＰ／ＩＰ）など１つ以上の種々のネットワーク・プロトコル、ボイスオーバインターネットプロトコル（Ｖｏｉｃｅ  Ｏｖｅｒ  ＩＰ）、インターパケット交換／逐次パケット交換（ＩＰＸ／ＳＰＸ）、ネットワーク基本入出力システム（Ｎｅｔ  ＢＩＯＳ）、ＧＳＭ、ＵＭＴＳ、ワイドバンドＣＤＭＡその他のプロトコル構造をサポートするＨ．３２３及びセッション開始プロトコル（ＳＩＰ）などのプロトコルを用いる従来の無線通信機能又はセルラー通信機能との両方を提供すること又は補助することが可能な多重モードのユニットである。
【０００９】
図１を参照しながら、複数の通信ネットワーク及びそれらの相互接続の簡略化した代表的なシステム又は環境の図について説明する。この説明により幾つかの言葉の約束事が確立されることや、この説明が他の図面を参照してさらに詳細に説明する本発明の原理及び概念のより深い理解のための基礎となることが期待される。無線通信ユニット１０１は、第１の通信ネットワーク１０３など複数の通信ネットワークを通じて、音声及びデータなどの通信を多様な目標ユニット１０２，１０２’と送受信する、即ち、交換することが可能である。この通信ユニット１０１は移動体であり、即ち、携帯可能であり、第２の通信ネットワーク１０７からのサービスを有する別の位置に経路１０５を介して移動可能であり（影の画像１０１’により示す）、この移動中、サービス・エリア内に位置すると、ＷＡＮ１  １０９及びＷＡＮ２  １１１など種々の他の通信ネットワークからサービスを取得することが可能である。
【００１０】
一部の実施形態では、第１及び第２の通信ネットワークは無線通信ネットワークであるか、或いは、無線ＬＡＮの一部を含んでおり、以下の説明の一部においては、無線ホームＬＡＮ即ちホームＬＡＮ１０３や、無線訪問ＬＡＮ即ち訪問ＬＡＮ１０７とも呼ばれる。通常、これらの無線ＬＡＮは、ＩＥＥＥ８０２．１１ａ，８０２．１１ｂ，８０２．１１ｇなどＩＥＥＥ８０２の幾つかのバージョン又はおそらくハイパーラン・プロトコルや、セッション開始プロトコル（ＳＩＰ）又はＨ．３２３仕様によるより高度なセッション管理タスクによる接続技術に従い動作する。無線ＬＡＮ１０３，１０７は、それぞれ構内交換機（ＰＢＸ）１１３，１２１や、複数のアクセス・ポイント１１９，１２７を備える。一定の実施形態では、構内交換機（ＰＢＸ）１１３，１２１はＩＰ  ＰＢＸであり、データベース１１５，１２３や、ＩＥＥＥ８０２．３仕様に従うＥｔｈｅｒｎｅｔ（登録商標）などの有線バックボーン１１７，１２５に接続されている。複数のアクセス・ポイント１１９，１２７は、周知の手法により無線ＬＡＮ機能をサポートする。サーバ、有線デバイス又は有線ユニット、ルータ、ＳＩＰレジストラ、コレクタ、ファイアウォールなど種々の他のネットワーク・エンティティが図示されていないが、当業者には認められるであろう。
【００１１】
無線ＷＡＮは、１つ以上の周知のセルラー・プロトコル及び規格により動作する、通常の「セルラー」ワイドエリアネットワークであってよい。無線ＷＡＮ、詳細にはＷＡＮ１
１０９，ＷＡＮ２  １１１は、それぞれ移動交換局１２９，１３１により管理される。ＷＡＮは、基地局、アンテナ塔、基地サイトコントローラや、ホームロケーションレジスタ、課金プロセッサその他の装置及び機能による無線接続ネットワークなど、図示されて
いないが当業者には理解される種々の追加のエンティティを備える。それぞれのＰＢＸ及びＭＳＣを介する種々のＷＡＮ及び無線ＬＡＮは、ＰＳＴＮ又はインターネットなど１つ以上の公衆ネットワーク１３３により、相互に接続されている。上述の種々のネットワーク・エンティティは、種々の供給元から入手可能であるため、さらには説明しない。さらに、本明細書に開示の概念及び原理は、無線ＬＡＮがＰＢＸを使用するのではなく、ＰＢＸその他のＬＡＮへのローカルスイッチと認識されるデバイス並びにＷＡＮ１及びＷＡＮ２へのＭＳＣを使用する、より緊密に接続されているシステムにも適用可能である。
【００１２】
多くの場合、ユニット１０１などの無線通信ユニットは、任意の時点において複数の通信ネットワークからサービスを受けることが可能であることに留意されたい。例えば、この簡略化した図に示すように、ユニット１０１は、第１のネットワーク１０３に加えてＷＡＮ１  １０９の領域、即ち、サービス・エリア内に位置しており、通常、サービスを提供するために利用可能な追加のネットワークが存在する。サービスのためにいずれの通信ネットワークが使用されるかは、幾分かは通信ユニット１０１又はそのユーザの裁量による。さらに、これらの異なったネットワークは異なったダイヤル方式を有することが可能であり、おそらくは一部のネットワークは異なったダイヤル方式を有する。ここで、ダイヤル方式は、特定のネットワークのルーティング仕様に従う別の無線デバイス又は有線デバイスなどの特定の目標ユニットに、ルーティングされ得る、即ち、解決され得るダイヤルされる番号（電話帳の番号その他のユニット・メモリからの番号を含む）など、通信ユニットにより提示される番号の記述である。
【００１３】
１つのネットワークにおいて解決可能な所与の番号は別のネットワークにおいてルーティング可能でない場合があり、実際、さらなる情報の存在しない他のネットワーク内においてルーティングの問題を解決する方法が存在しない場合があることに留意されたい。２つの異なったネットワークのダイヤル方式に従いルーティングされ得る、即ち、解決され得る番号は、必ずしも同じ目標ユニットに宛てらないため、この番号は、それらの異なったネットワークに提示された場合、両義的となる。例えば、番号が１つの無線ＬＡＮ即ち企業ネットワーク内においてルーティング可能である短縮ダイヤルでは、おそらく外部ネットワークその他のネットワーク内においてはルーティング可能ではなく、最良の場合でも、この他のネットワークのルーティング規則が使用されて両義的となる。いずれの場合においても、これらの問題及び他の問題は全て、異なったネットワークを訪問する無線通信ユニットのユーザには相当な不便を生じ得る。これらの問題のうちの一部に対する解決法が、以下に開示して説明する本発明の概念及び原理の焦点である。
【００１４】
図２を参照しながら、ダイヤルされる番号などの番号を再フォーマットするように配置及び構成されている、即ち、再フォーマットするためのユニット１０１などの通信ユニットの、簡略化した代表的なブロック図について説明する。構造的には、通信ユニットはＭｏｔｏｒｏｌａ（登録商標）などの製造業者から入手可能な無線ハンドセットなどの通信ユニットに類似しているか又は同一であるが、上述の利点を利用するために、本明細書に開示及び記載した原理及び概念に従い、これらのユニットの機能を修正する必要がある。通信ユニットはアンテナ２０１を備えており、アンテナ２０１はトランシーバ２０３に接続されている。トランシーバ２０３は少なくとも１つの送信機／受信機からなるが、図に示すように、１つ以上のＷＡＮトランシーバ２０５（１つを示す）と、１つ以上の追加の無線ＬＡＮトランシーバ２０７（１つを示す）とから構成されてもよい。一実施形態では、一方の送信機／受信機２０５はワイドエリアネットワーク（ＷＡＮ）を通じた通信用のものであり、他方の送信機／受信機２０７は無線ローカルエリアネットワークを通じた通信用のものである。これらのトランシーバ及びその機能は一般に周知であり、通信ユニットがインタフェースする、即ち、相互作用する特定のＷＡＮ及びＬＡＮにおいて利用されるエアインタフェース技術に応じて、１つのトランシーバ又は複数のトランシーバとして実施される。
【００１５】
トランシーバ２０３はコントローラ２０９に接続されており、このコントローラはさらにユーザ・インタフェース２１１に接続されている。コントローラ２０９は、通信ユニットに対する制御全般、呼処理、並びにトランシーバ及びユーザ・インタフェースに関連するインタフェース・タスクを提供する。ユーザ・インタフェースは、従来のディスプレイ２１３、キーボード又はキーパッド２１５、オーディオ・トランスデューサ２１７などを備える。コントローラ２０９はさらに、図に示すようにすべて相互に接続されている、プロセッサ２１９と、他のデバイスに対してインタフェースするためのポート２２１と、ソフトウェア命令及び他の情報を記憶するためのメモリとを備える。プロセッサは、Ｍｏｔｏｒｏｌａ（登録商標）を含む種々の供給元から入手可能な、１つ以上の汎用プロセッサ及びデジタル信号プロセッサからなる。メモリ２２３は揮発性メモリ及び不揮発性メモリの両方を含むことが可能であり、少なくとも一部がプロセッサ２１９に内蔵されてもよく、外部に存在してもよい。
【００１６】
このメモリは、プロセッサによる実行時に上述の一般的に識別される作業や他のルーチンと共に以下に説明するタスクをコントローラに実行させる、変数及びデータ２２５を有するオペレーティングシステムを含め、種々のソフトウェアプログラム及びデータを含む。他のルーチンには、周知であり、サービスのために利用されているネットワークの特定要件により異なる呼処理ルーチン２２７が含まれる。他のルーチン及びデータベースを一覧するが、それぞれの機能は以下の詳細な説明により明らかとなるであろう。これらのルーチンには、ネットワーク選択２２９、フォーマット規則及びテーブル２３１、識別子及びフォーマット規則の組２３３、番号再フォーマット２３５、ネットワーク及びユーザ・プリファレンス（ｐｒｅｆｅｒｅｎｃｅ）２３７、ペルソナ（ｐｅｒｓｏｎａ）２３９並びに電話帳、ユーザ・インタフェース・ドライバ及びここでは関連しないが当業者には明らかな種々のアプリケーションなど、種々の他のルーチン及びデータベース２４１が含まれる。
【００１７】
動作中、上述のように、通信ユニット１０１は無線ＬＡＮ１０３，１０７及び無線ＷＡＮ１０９，１１１など、２つ以上の通信ネットワークにおいて動作可能である。通信ユニットが種々の通信ネットワークのカバレッジ間を自由に移動するため、発呼を行うためにいずれの通信ネットワークが使用されるのかがユニットのユーザには明白でない場合がある。同時に、ダイヤルされる番号が、使用されているネットワークのダイヤル方式との互換性を有すること、また、この番号が両義的でなく、例えば、適正な目標デバイス即ちユニットに連絡することは重要である。
【００１８】
一実施形態では、無線通信ユニットは、複数の通信ネットワークに対するダイヤル方式に従い、ダイヤルされる番号を再フォーマットするように動作可能である。無線通信ユニットは、無線ＬＡＮ１０３，１０７を通じて及び無線ＷＡＮ１０９，１１１を通じて通信するように構成されているトランシーバ２０３と、呼び出す目標ユニット１０２，１０２’に対応する番号を提供するように動作可能なユーザ・インタフェース２１１とを備える。この番号は、例えば、ユーザ・インタフェースにおいて入力された番号、最後にダイヤルされた即ち呼び出された番号など電話帳その他のメモリ領域から再呼び出しされる番号などを含む、ダイヤルされた番号であってよい。コントローラ２０９は、番号が与えられると、目標ユニットを呼び出すために使用する通信ネットワークとして無線ＬＡＮと無線ＷＡＮとのうちの一方を選択するように、通信ネットワークに対するダイヤル方式に対応するフォーマット規則即ち再フォーマット規則を取得するように、及び、再フォーマット規則に従い番号を再フォーマットして、目標ユニットを呼び出すために使用する通信ネットワークに対するダイヤル方式との互換性を有する再フォーマットした番号を提供するように構成されている。
【００１９】
ネットワークの選択は、どのネットワークを使用するかについてのプリファレンスに基づいて行われ得る。一部の実施形態では、コントローラは複数の通信ネットワークから、無線通信ユニットにサービスを提供するために利用可能な複数の通信ネットワークのうちの１つの通信ネットワークを選択する。例えば、ＬＡＮ１０３及び通信ユニット１０１により示すように、ユニットが無線ＬＡＮに登録すること可能であり、無線ＬＡＮがユニット・ホームＬＡＮである場合であって、例えば通信ユニット１０２などの目標ユニットがそのホームＬＡＮ１０３内に存在するときには、ホームＬＡＮ１０３が好適であり、選択に適切な通信ネットワークであることが多い。しかしながら、幾つかの状況では、目標ユニットを呼び出すには、ホームＬＡＮ１０３が選択に適切な通信ネットワークでない場合がある。
【００２０】
例えば、無線通信ユニット１０１がホームＬＡＮ内に存在せずに、例えば、経路１０５に沿った移動の途中など、そのネットワークの領域外に存在する場合、無線通信ユニット１０１は、サービスを提供するために利用可能な複数のＷＡＮのうちの１つを好適に選択即ち選出する。影のユニット１０１’として示すように、通信ユニットが訪問ＬＡＮ１０７に位置する場合、ＷＡＮと通信ネットワークに対する訪問ＬＡＮとの間で選択を行うことが多い。例えば、訪問ＬＡＮ１０７に位置する目標ユニット１０２’など、目標ユニットがホームＬＡＮ内に存在しない場合、又は、目標ユニットが任意の無線ＬＡＮ内に存在しない場合、通信ユニットは通信ネットワークとしてＷＡＮを好適に選択する。私用の呼び出しにはＷＡＮの使用が示唆され、業務による呼び出しにはローカル企業無線ＬＡＮが使用されるなど、目標ユニットへの呼び出しの性質（私用か業務か）によりネットワークの選択に影響が与えられ得る。ネットワークの選択においては、期待されるセキュリティ即ち監視のレベルなど必要とされ得るサービスが一定の役割を担う場合がある。これらは、目標ユニットを呼び出すための通信ネットワークとして、異なったネットワークが好適であり選択即ち選出され得る状況即ち環境のうちの幾つかである。
【００２１】
上述の環境に加えて、種々の他の要因が選択に影響を与え得る。例えば、通信ユニット及び目標ユニットに対する関連の料金の差、例えば、特定の目標ユニットが与えられた場合の関連ネットワークに対する再フォーマット規則などの適切な番号その他の規則へのアクセスをユーザが有するか又はその準備済みかなど、ユーザの利便性、例えば、無線ＬＡＮ内又はＷＡＮ内など目標ユニット位置についての一般情報、ユーザの現在有効なペルソナは、考慮され得る要因のうちの一部である。いずれの場合においても、関連の関係及びプリファレンス２３７が与えられると、当業者にはネットワーク選択ルーチン２２９の開発が可能であり、続いて、このルーチンにより通信ネットワークの選択が補助されて、必要な場合などにはユーザにプロンプトが提供される。
【００２２】
同様に、選択された通信ネットワークに対するダイヤル方式に対応するフォーマット規則の取得も、種々の形態を取り得る。一般に、メモリ２２３、詳細には、フォーマット規則及びテーブルの部分２３１は、フォーマット規則即ち再フォーマット規則を記憶するように構成されている。コントローラは、ネットワークを選択すると、一組の、即ち、１つのテーブルの再フォーマット規則に対応する識別子によりインデックス化されている規則を選択する。ユーザ・インタフェースを用いて識別子を選択するようにユーザに対してプロンプトが示される環境も存在し得る。例えば、目標ユニット１０２，１０２’は、それぞれのＬＡＮ内で速やかにルーティング可能な同一の短縮番号、例えば３４５など、を有する場合がある。しかしながら、番号ａｂｃが提供されたとき、いずれの又はいずれの組の再フォーマット規則を適用するかは、選択されたネットワークのみならず、意図される目標ユニットに応じても異なるので、識別子のユーザ入力又はユーザ選択により解決され得る。ユーザの選択した識別子が与えられると、コントローラは通信ネットワークに対応する正しい組のフォーマット規則を選択することが可能である。
【００２３】
いずれの場合においても、メモリに記憶するフォーマット規則は、例えば、ユーザ・インタフェースにおけるユーザのエントリ、無線通信ユニットの構成中にポート２２１を介して提供される規則のテーブル、例えば、通信ネットワークへの登録において通信ネットワーク又は複数の通信ネットワークの各々により提供される構成ファイル、又はこれらのアプローチの各々の組み合わせにより、取得され得る。フォーマット規則は一定の期間を通じて取得され、時間により更新されると期待される。したがって、一部の実施形態では、メモリには複数組のフォーマット規則が含まれ、コントローラは、これらの複数組のフォーマット規則のうち、呼び出しを行うために使用する通信ネットワークに対応する１つのフォーマット規則を選択する。
【００２４】
再フォーマット規則が与えられ得ると、再フォーマットした再フォーマット番号を提供するための番号の再フォーマットは、番号再フォーマット・ルーチン２３５を用いてコントローラがフォーマット規則を番号に適用することにより実行される。再フォーマットした番号は、例えば、１つ以上のディジットが削除された番号、１つ以上のディジットが付加された番号、又は１つ以上のディジットが置換された番号を含め、種々の形態を取り得る。加えて、一部の実施形態では、再フォーマットした番号は、基礎となる番号に番号を付加するなど、番号にアルゴリズムを適用することにより得られる。例えば、１２３−４５６−１１１１が７６５４などの短縮番号に付加される。他の状況では、通信ユニット・メモリ又は一部の通信ネットワークからアクセス番号が読み出され、番号即ち短縮番号がオーバー・ダイヤル・サフィックスとして付加されて、再フォーマットした番号が提供される。さらに他の実施形態では、この番号は、例えば、メモリ２２３のテーブル位置２３１において、ルックアップテーブルへのインデックスとして使用され、再フォーマットした番号は、テーブルにおいて、この番号により識別される位置に記憶される値である。この状況における番号は、例えば、ＳＩＰアドレス又は番号（通常、ＳＩＰの用語では完全適格指定子（ｆｕｌｌｙ  ｑｕａｌｉｆｉｅｄ  ｓｐｅｃｉｆｉｅｒ）と呼ばれる）など、テーブルにおいて完全にルーティング可能なエントリを表す、再フォーマットした番号など、任意の英数文字列であってよいことに留意されたい。
【００２５】
図３を参照しながら、例として、異なる通信ネットワークに対するダイヤル方式を示す簡略化した代表的なテーブルについて説明する。このテーブルには、２３１，２３３で示すメモリ２２３の一部に含まれると予想される実質的な内容を示す。「ディジットのパターン」の列には、通信ユニットにおいて、例えばコントローラ２０９に、提示され得る番号即ちダイヤルされる番号が示される。ここで、各Ｘは任意の英数字ディジットであり、通常は、０〜９からなる数字ディジットである。通信ユニットがホーム無線ＬＡＮ１０３又はホーム企業システムなど特定の無線ＬＡＮに位置する、即ち、特定の無線ＬＡＮ内において動作している場合（通信ネットワークは、ホーム無線ＬＡＮとなるように選択されている）、第２の列のエントリは再フォーマットした番号を表す。２，５，６又は８から始まる５桁のディジットの番号など、この短縮番号の例では、その番号が再フォーマットした番号として使用され得る。８４７−６３２−ｘｘｘｘなど、ホーム・ネットワーク・ディジットを含む完全な番号（エリアコード及びオフィスコード）は、通常、関連の無線ＬＡＮ内において５桁のディジットの２−ｘｘｘｘをルーティングするためにも使用され得ることに留意されたい。対照的に、３で始まる５桁のディジットの番号は無線ＬＡＮ内においてルーティング可能でないか、或いは、少なくともテーブルに反映されているフォーマット規則は、この番号の前に９１−９５４−７２が付加され、再フォーマットした番号９１−９５４−７２３−ｘｘｘｘが提供されることを示している。結果として得られる番号即ち再フォーマットした番号は、無線ＬＡＮ  ＰＢＸが呼び出しを、無線ＬＡＮ「９」の外、完全な１１桁のディジットの番号により識別される目標ユニットにルーティングするために使用される。例えば、緊急を意味する９１１などの番号は、例えば、６−２２２２などの再フォーマットした番号など、ローカル無線ＬＡＮ緊急応答番号によって置き換えられ、１−９００．．．などの番号は単に阻止され、例えば、ルーティングされない
。
【００２６】
しかしながら、同じ番号即ち同じダイヤルされる番号が提示され、選択した通信ネットワークがＷＡＮ即ちＷＡＮキャリアである場合、異なったフォーマット規則が適用される。詳細には、示すように、ユニークな５桁のディジットのパターン即ち番号の各々に対して、異なった１＋１０桁のディジットの再フォーマットした番号が提供される。したがって、これらの状況では一般に、通信ネットワークがＷＡＮなど外部の無線ネットワークであり、かつ、番号が、例えば、ホーム無線ＬＡＮ、訪問無線ＬＡＮ又は別のＷＡＮなど、別の無線通信ネットワークのダイヤル方式との互換性を有する短縮番号である場合、無線通信ユニットのコントローラは、再フォーマットした番号を使用して他の無線通信ネットワークに呼び出しをルーティングし得るように、番号にディジットを付加させることが可能である。通信ネットワークがＷＡＮである場合、９１１などの番号は変更されず、１−９００．．．の番号は依然として阻止される。図３に示すフォーマット規則のテーブル即ちフォーマット規則の組は、種々の次元及び方式により拡張可能であることを理解することが重要である。例えば、追加の無線ＬＡＮ即ち企業システム又は異なったＷＡＮに異なった規則を適用し得る。これにより、テーブルは横方向に拡張され、追加の列が追加される。このテーブルは、例えば、番号が複数の通信ネットワークとの互換性を有する状況、例えば、番号が両義的である、即ち、解決不可能である状況を含む、条件付き規則を含む追加の規則により、縦方向にも拡張され得る。このため、ユーザの意図即ちプリファレンス（以下でさらに説明する）の何らかの表示を要求する、ユーザに対するプロンプトが生じ得る。テーブル又はフォーマット規則は、したがってテーブルの各列により示されるダイヤル方式は拡張性であり、主としてユーザの目的又は着想によってのみ限定され得るとのみ述べておく。
【００２７】
図１〜図３を参照しながら、通信ユニットに提示され得る幾つかの他の状況について説明する。例えば、通信ネットワークがＷＡＮ１０９など外部の無線ネットワークであり、さらに、番号が最近訪問した無線ＬＡＮのダイヤル方式との互換性を有し、かつ、ホーム無線ＬＡＮに対するダイヤル方式との互換性を有する短縮番号である場合、通信ユニット、詳細にはコントローラ２０９は、再フォーマットした番号を使用して、最近訪問した無線ＬＡＮ及びホーム無線ＬＡＮのうちの一方にそれぞれ呼び出しをルーティングすることが可能であるように、プリファレンス２３７に応じて、最近訪問した無線ＬＡＮのダイヤル方式及びホーム無線ＬＡＮのダイヤル方式のうちの一方に従い、再フォーマットした番号を提供する。最近訪問した無線ＬＡＮは、訪問ＬＡＮ１０７又は類似の無線ＬＡＮであってよいことに留意されたい。したがって、例えば、同じ番号、例えば、４５６７など、番号即ちダイヤルされる番号が両義的であり、ホーム無線ＬＡＮ及び最近訪問した無線ＬＡＮ、或いは、最近訪問した無線ＬＡＮ及び別の以前に訪問した無線ＬＡＮなど、２つの異なる通信ネットワーク内でルーティング可能である場合、コントローラは、ユーザの意図又はプリファレンスなど追加の情報なしでは、いずれの組のフォーマット規則を適用するかを判定することができない。
【００２８】
このプリファレンスにおいては、種々の状況を考慮に含めることが可能である、即ち、メモリに記憶されている１つ以上の規則、コントローラの生成するプロンプトによるユーザからの指示、最近訪問した無線ＬＡＮがこの通信ネットワークであった時からの経過時間、最近訪問した無線ＬＡＮと別のＬＡＮ又はＷＡＮとの相対的な近接度など、異なる状況に基づくことが可能である。規則により、両義的な番号が提示されたときには常に番号を再フォーマットして所与の通信ネットワークにルーティングする、などのプリファレンスが実装され得る。例えば、番号が両義的な場合にはホームＬＡＮ内の目標ユニットに呼び出しをルーティングする再フォーマットした番号を提供すること、は１つの規則である。このような状況における別の規則は、番号を再フォーマットして、呼び出しを訪問無線ＬＡＮの目標ユニットにルーティングすることである。各々の場合、呼び出しが適正なネ
ットワークにルーティングされるように、適正なＬＡＮに対応するエリアコード及びオフィスコードなどが番号に対し付加される。
【００２９】
プリファレンスは、例えば、そのＬＡＮが通信ネットワークであった時からの経過時間がＮ時間未満である場合、番号を再フォーマットして、ホーム無線ＬＡＮ又は通信ネットワークであった訪問無線ＬＡＮなど、最後の無線ＬＡＮへ呼び出しをルーティングする、など条件付きであってもよい。条件付きプリファレンスの別の例は、ホームＬＡＮ又は訪問無線ＬＡＮなどの無線ＬＡＮの近接度に応じて異なる。この例では、そのネットワークが無線通信ユニットの現在の位置から一定の距離未満しか離れていない場合、番号を再フォーマットして、通信ネットワークであった最後の無線ＬＡＮに呼び出しをルーティングする。無線通信ユニットがＧＰＳ受信機を内蔵しているか、或いは、例えば、現在の通信ネットワークからの位置座標へのアクセスを有しており、最後の無線ＬＡＮの一般座標を認識する場合、この距離制限、即ち、近接度の制限が指定され得る。また一般に、近接度は、例えば、ＷＡＮにおいて通常利用可能なセル・サイト識別情報を用いても判定され得る。このアプローチにより、ホームの移動中その他のローカルな移動中など、通信ユニット１０１がホーム無線ＬＡＮ１０３の幾つかのセル・サイト内に存在し、訪問無線ＬＡＮ１０７内のユニット１０２’などの同僚又は知人の番号と偶然等しい番号をダイヤルする場合、呼び出しを例えばホームＬＡＮ内の目標ユニット１０２にルーティングするために必要なエリアコード及びオフィスコードその他のコードを付加することにより、依然として番号は再フォーマットされる。
【００３０】
したがって、例えば、通信ユニットが訪問無線ＬＡＮ位置に存在し、通信ネットワークが訪問無線ＬＡＮであるとき、さらに、番号が、例えば、ＷＡＮ又はホーム無線ＬＡＮなど他の無線通信ネットワークのダイヤル方式との互換性を有し、かつ、訪問無線ＬＡＮのダイヤル方式との互換性を有しない短縮番号であるとき、コントローラは、再フォーマットした番号を使用して他の無線通信ネットワークに呼び出しをルーティングし得るように、番号にディジットを付加することが可能である。しかしながら、同じ位置及び同じ通信ネットワークが与えられ、短縮番号が訪問無線ＬＡＮのダイヤル方式との互換性を有し、かつ、他の無線通信ネットワークのダイヤル方式との互換性を有するとき、コントローラは、訪問無線ＬＡＮと、無線ホームＬＡＮなど他の無線通信ネットワークとのそれぞれにおいて呼び出しをルーティングするように、再フォーマットした番号を使用して、プリファレンスに応じて、訪問無線ＬＡＮのダイヤル方式及び他の無線通信ネットワークのダイヤル方式のうちの一方に従い、再フォーマットした番号を提供する。
【００３１】
上記簡単に説明してきたように、無線通信ユニット、詳細にはコントローラは、番号が短縮番号であり、短縮番号が通信ネットワークのダイヤル方式との互換性を有しないとき、他の技術を使用して、適切な再フォーマットした番号を提供することが可能である。例えば、コントローラは、短縮番号にアルゴリズムを適用すること、又は、メモリからアクセス番号を読み出すこと、若しくは、おそらくこの通信ネットワーク又は別の通信ネットワークからアクセス番号を読み出すこと、及び、オーバー・ダイヤル・サフィックスとして短縮番号を付加することにより、再フォーマットした番号を提供するように動作可能である。アクセス番号が呼び出され、番号はＤＴＭＦを用いてオーバー・ダイヤルされ、結果として適切にルーティングされる。これにより、適用される規則の変更又は解決不可能な全ての番号が援助、即ち、一様なメッセージを得ることが可能となる。また、これに代わるのは、短縮番号に従いインデックス化されるルックアップテーブルから、再フォーマットした番号などの記憶している番号を呼び出すことである。このテーブルは、通信ユニットのメモリ内に記憶され、ユーザが適当であると考えるときに更新される。さらに、読み出される番号は、ユニットの位置などに関わらず解決可能な完全な互換性を有するＥ．１６４番号であり得る。
【００３２】
したがって、一実施形態では、複数の通信ネットワークに対するダイヤル方式に従い、ダイヤルされる番号を再フォーマットするように動作可能な無線通信ユニットを開示している。この無線通信ユニットは、複数の通信ネットワークのうちのいずれかと通信するためのトランシーバと；呼び出される目標ユニットに対応する番号を提供するように動作可能なユーザ・インタフェースと；このトランシーバ及びこのユーザ・インタフェースに接続されており、この番号に対応し、かつ、無線通信ユニットに特有のプリファレンスに従い、目標ユニットを呼び出すために使用される通信ネットワークに対するダイヤル方式との互換性を有する再フォーマットした番号を提供するコントローラとからなる。通信ユニットのこの実施形態では、特定のプリファレンスなど、上述の追加の詳細の多くは、再フォーマットした番号を提供するために用いられる再フォーマット規則の決定にも適用され得るが、ここで繰り返して詳細には説明しない。
【００３３】
図４を参照しながら、サービスを提供する通信ネットワークが選択される、ダイヤルされる番号を再フォーマットする方法について説明する。この方法は、類似の機能が利用可能である場合、上述の通信ユニットに加えて他の装置においても実施され得ることに留意されたい。さらに、以下の説明のうちの一部は上述の概念及び原理を再び説明するものであるため、さらなる詳細が必要な場合、それらの説明が参照されることも留意されたい。この方法は４０１にて開始し、次に４０３において、例えば、無線ローカルエリアネットワーク（ＬＡＮ）及び無線ワイドエリアネットワーク（ＷＡＮ）を通じての動作に適切な無線通信ユニット１０１において、呼び出される目標ユニットに対応する番号が提供される。次に、４０５において、目標ユニットを呼び出すために使用する通信ネットワークとして無線ＬＡＮ及び無線ＷＡＮのうちの一方が選択される。この通信ネットワークは、このようなサービスを提供するために利用可能な複数のこのようなネットワークの一部のうちの１つである。上述のように、この選択はネットワーク・プリファレンス４０７に応じて異なり得ることに留意されたい。この方法では４０９において、ユーザ入力を介して通信ネットワークに対するダイヤル方式に対応するフォーマット規則、ユニット構成情報が取得され、或いは、通信ネットワークからファイルがダウンロードされ、一組の適切な再フォーマット規則が選択される。最後に、４１１において、再フォーマット規則に従い番号が再フォーマットされ、目標ユニットを呼び出すために使用する通信ネットワークに対するダイヤル方式との互換性を有する再フォーマットした番号が提供される。再フォーマットには、例えば、１つ以上のディジットを付加すること、削除すること若しくは置換すること、アルゴリズムにより番号を変更即ち修正すること、番号に従いインデックス化されているテーブルから記憶した番号を読み出すこと、又は、通信ネットワークに対するアクセス番号を読み出し、読み出した番号にオーバー・ダイヤル・サフィックスとして番号を付加させることのうちの１つ以上が含まれる。再フォーマット又は再フォーマット規則は、上述などのユーザのプリファレンス、即ち、ペルソナ規則４１３に応じて異なり得る。ここでペルソナは一組のプリファレンスに対応する。例えば、「ノマド（ｎｏｍａｄ）」ペルソナは訪問ネットワークを常に選択する規則であり、「ホーム本体（ｈｏｍｅ  ｂｏｄｙ）」は、いずれのネットワークが通信ネットワークであったか又は通信ネットワークとして使用されたかに関わらず、常に番号を再フォーマットして、呼び出しをホーム・ネットワークの目標ユニット即ちホーム・ネットワーク内の目標ユニットにルーティングすることを選択する。また、「チーム・プレーヤー（ｔｅａｍ  ｐｌａｙｅｒ）」は、そのチームに関連するネットワークなど特定のネットワークにおいて呼び出しを目標ユニットにルーティングすることを常に選択する。方法は４１５にて終了する。
【００３４】
図５を参照しながら、図４の方法に対応する詳細を示すフローチャートについて説明する。図５の方法は、図４を参照しながら説明した方法の種々の代替の実施形態に含められる追加の処理を表す。この方法は５０１にて開始され、５０３において、通信ネットワークがホーム無線ＬＡＮであるか否かが判定される。通信ネットワークがホーム無線ＬＡＮである場合、５０５において、番号がホーム無線ＬＡＮに対するダイヤル方式との互換性
を有する短縮番号であるか否かが判定される。番号がホーム無線ＬＡＮに対するダイヤル方式との互換性を有する短縮番号である場合、５０７において、番号が再フォーマットされ、再フォーマットした番号として、この番号が提供されるか、或いは、ホーム・ネットワーク・ディジットの付加された番号が提供される。５０３又は５０５の結果が否定的である場合、この方法は５０９に進む。
【００３５】
５０９において、通信ネットワークが、例えばＷＡＮなど、外部の無線ネットワークであるか否かが判定される。通信ネットワークが外部の無線ネットワークである場合、５１１にて、番号が別の無線通信ネットワークのダイヤル方式との互換性を有する短縮番号であるか否かが判定される。番号が別の無線通信ネットワークのダイヤル方式との互換性を有する短縮番号である場合、５１３において、番号が、最近訪問した無線ＬＡＮのダイヤル方式との互換性を有し、かつ、ホーム無線ＬＡＮに対するダイヤル方式との互換性を有する短縮番号であるか否かが判定される。そうでない場合、５１５において、番号の再フォーマットには、再フォーマットした番号が例えばホームＬＡＮ又は訪問ＬＡＮなど他の無線通信ネットワークに呼び出しをルーティングするために使用され得るように、ディジットを番号へ付加させる工程を含むことが指示される。５１３の結果が肯定的である場合、５１７において、再フォーマットした番号を使用して、最近訪問した無線ＬＡＮ及びホーム無線ＬＡＮのうちの一方に呼び出しをルーティングすることが可能であるように、ユーザ・プリファレンス５１９に応じて、最近訪問した無線ＬＡＮのダイヤル方式及びホーム無線ＬＡＮのダイヤル方式のうちの一方に従い、再フォーマットした番号を提供する。
【００３６】
５０９又は５１１の結果が否定的である場合、５２１において、通信ネットワークが訪問無線ＬＡＮであるか否かが判定される。通信ネットワークが訪問無線ＬＡＮである場合、５２３において、番号が、ホーム無線ＬＡＮその他のＬＡＮなど、他の無線通信ネットワークのダイヤル方式との互換性を有する短縮番号であるか否かが判定される。そうである場合、５２５において、番号が訪問無線ＬＡＮのダイヤル方式との互換性を有するか否かが判定され、互換性を有しない場合、５２９において、番号の再フォーマットには、再フォーマットした番号が他の無線通信ネットワークに呼び出しをルーティングするために使用され得るように、ディジットを番号へ付加させる工程を含むことが指示される。しかしながら、５２５において短縮番号が訪問無線ＬＡＮのダイヤル方式との互換性を有し、したがって、さらに５２３において他の無線通信ネットワークのダイヤル方式との互換性を有する場合、番号の再フォーマットはプリファレンス５１９に応じて異なり、５２７において、訪問無線ＬＡＮのダイヤル方式及び他の無線通信ネットワークのダイヤル方式のうちの一方に従い、再フォーマットした番号を提供する。このようにして、再フォーマットした番号を使用して、訪問無線ＬＡＮ及び他の無線通信ネットワークのうちのそれぞれにおいて、呼び出しをルーティングすることが可能である。
【００３７】
５２１又は５２３からの応答が否定的である場合、５３１において、番号が短縮番号であり、かつ、短縮番号が通信ネットワークに対するダイヤル方式との互換性を有しない場合、番号の再フォーマットには、ａ）短縮番号にアルゴリズムを適用すること、ｂ）アクセス番号を読み出し、短縮番号をオーバー・ダイヤル・サフィックスとして付加すること、及び、ｃ）短縮番号に従いインデックス化されるルックアップテーブルから記憶されている番号を読み出すことのうちの１つが含まれる。
【００３８】
図６を参照しながら、上述の詳細な概念及び原理のうちの多くが適用され得る、ユーザ・プリファレンスを考慮したときの番号を再フォーマットする方法の実施形態について説明する。ダイヤルされる番号を再フォーマットする図６の方法は、６０１にて開始し、例えば、通信ユニット１０１などの無線通信ユニットにおいて種々の実施形態により実施され、複数の通信ネットワークに対するダイヤル方式に従い動作する。６０３において、方法には、呼び出される目標ユニットに対応する番号を提供することが含まれる。ここで、
番号は、ユーザによりダイヤルされた番号、又は、例えば、通信ユニットのメモリ若しくは通信ユニットに関連するメモリから読み出される番号であり得る。さらに６０７において、この方法には、無線通信ユニット又はそのユーザに特有のプリファレンスに従い番号を処理して、目標ユニットを呼び出すために使用する通信ネットワークに対するダイヤル方式との互換性を有する再フォーマットした番号を提供することが含まれる。この処理は、無線通信ユニットにおいて、或いは、通信ネットワーク用のＰＢＸなど関連するインフラストラクチャ・エンティティにおいて行われ得る。
【００３９】
一部の実施形態では、プリファレンス・データは、６０５において、例えば、メモリに記憶されている１つ以上の規則、ユーザからの指示により供給され、通信ネットワークにおける変更からの経過時間、又は最後の通信ネットワークへの近接度を考慮に入れることが可能である。このプリファレンス情報は、無線通信ユニット又はそのユーザに特有な情報である場合が多い。同様に、他の実施形態では、６０９において、この方法には、ユーザ入力即ちエントリを介してフォーマット規則を取得すること、通信ユニット構成処理において供給されるテーブル若しくは規則を取得すること、又は通信ネットワークからダウンロードされる構成ファイルを取得することが含まれる。次に、他の実施形態では、６１１において、複数組のこれらの規則から通信ネットワークに対応する一組のフォーマット規則を選択すること、続いて、６０７において、選択した一組の規則をフォーマット規則として使用することが含まれる。また、上述の処理の多くや、図５を参照しながら説明した処理の一部は、図６に示す実施形態においても適用され得ることに留意されたい。
【００４０】
上記処理、装置及びシステム、並びに本発明の原理は、異なるダイヤル方式を有する複数の通信ネットワークとの通信ユニットを操作する際にユーザが被る問題及び不便さを軽減するためのものである。他の通信ネットワークを介して呼び出しをルーティングする目的で、目標ユニットを呼び出すために使用する通信ネットワークのダイヤル方式又は再フォーマット規則による通信ユニットにおいて提示される番号を再フォーマットするこれらの原理を使用すれば、どちらかのネットワーク上で呼び出しを行う有用性及び被呼者への正しい通信の両方が促進される。必要なフォーマットにより再フォーマットした番号を提供するために、呼び出しを行うために使用し、適当なフォーマット規則を選択し、適用するためのネットワークを選択するための本発明の使用プリファレンスは、通信ユニットのユーザが、提案の発呼をどの通信ネットワークが実際にサポートしているのかを知らなくてもすむようにすることを容易にする。
【００４１】
そのユーザの有意な利点のために複数の通信ネットワーク上で動作している場合に、正しくフォーマットした番号を提供するための方法及び装置及び通信ユニットの種々の実施形態について説明してきた。本発明によるこれらの実施形態又は他の実施形態が、このような通信ネットワーク間でのそのユーザ又は加入者通信ユニットが移動できるようにするワイド・エリア及びローカル・エリア通信ネットワークの多くの組み合わせに使用されることが予想される。本明細書は、このようなシステムを備える構成要素又は装置、及び特にそれらにより及びその内部で使用する方法も含む。本明細書に記載する本発明の原理及び概念を使用すれば、複数の通信ネットワーク、特に無線ＷＡＮ及びＬＡＮの混合体上で動作可能な通信ユニットを使用するカバレッジ及び経済的利点を有利に使用したいユーザに対する改善された柔軟性及び有用性を有利に使用することができ、提供することができる。
【図面の簡単な説明】
【００４２】
【図１】複数の通信ネットワーク及びそれらの相互接続のシステム又は環境の簡略化した代表的な形態の図。
【図２】番号を再フォーマットするための無線通信ユニットの簡略化した代表的なブロック図。
【図３】異なる通信ネットワークに対するダイヤル方式を示す簡略化した代表的なテーブル。
【図４】サービスを提供する通信ネットワークが選択される、ダイヤルした番号を再フォーマットする方法の図。
【図５】図４の方法に対応するより詳細な図。
【図６】ユーザ・プリファレンスを考慮したときの番号を再フォーマットする方法の図。
【図１】
2007517425.tif 000003
【図２】
2007517425.tif 000004
【図３】
2007517425.tif 000005
【図４】
2007517425.tif 000006
【図５】
2007517425.tif 000007
【図６】
2007517425.tif 000008
【国際調査報告】
2007517425.tif 000009